(57)【特許請求の範囲】
【請求項１】
放送電波を受信する放送受信機能によって受信した放送内容を記録する放送記録装置であって、
外部の端末装置から発信出力された放送内容の記録要求を受信した際に、その記録要求に応じて特定された放送内容を受信記録すると共に、この記録内容を当該端末装置からの識別情報に対応付けて記憶管理する記憶管理手段と、
前記端末装置側の識別情報が供給された場合に、この識別情報に対応する記録内容を再生対象として読み出して出力させる出力制御手段と、
前記記録内容の出力を指示する指示手段と、
前記指示手段によって記録内容の出力が指示された際に、前記端末装置の接続有無を判別する判別手段と、を設け、
前記判別手段によって前記端末装置が接続されていることが判別された際に、前記出力制御手段は、接続された前記端末装置から前記識別情報を取得し、前記識別情報に対応する記録内容を読み出して当該端末装置に出力する、
ことを特徴とする放送記録装置。
【請求項２】
前記端末装置が接続されることによって当該端末装置から識別情報が供給されて記録内容の出力が要求された際に、前記出力制御手段は、当該識別情報に対応する記録内容を読み出して当該端末装置側に出力する、請求項1記載の放送記録装置。
【請求項３】
接続された前記端末装置に充電を行う充電手段をさらに有し、
前記判別手段は、前記端末装置の前記充電手段への接続有無を判別する、請求項１又は２に記載の放送記録装置。
【請求項４】
放送電波を受信する放送受信機能によって受信した放送内容を記録する放送記録装置であって、
外部の端末装置から発信出力された放送内容の記録要求を受信した際に、その記録要求に応じて特定された放送内容を受信記録すると共に、この記録内容を当該端末装置からの識別情報に対応付けて記憶管理する記憶管理手段と、
前記端末装置側の識別情報が供給された場合に、この識別情報に対応する記録内容を再生対象として読み出して出力させる出力制御手段と、
を具備し、
前記出力制御手段は、前記端末装置に着脱自在な可搬型記録媒体を介して前記端末装置の識別情報が供給された際に、当該識別情報に対応する記録内容を当該記録媒体に出力する、ことを特徴とする放送記録装置。
【請求項５】
前記記録内容の出力を指示する指示手段と、
前記指示手段によって記録内容の出力が指示された際に、前記端末装置に着脱自在な可搬型記録媒体の接続有無を判別する判別手段と、を設け、
前記判別手段によって前記可搬型記録媒体が接続されていることが判別された際に、前記出力制御手段は、前記識別情報に対応する記録内容を当該可搬型記録媒体に出力する、請求項４記載の放送記録装置。
【請求項６】
コンピュータに対して、
外部の端末装置から発信出力された放送内容の記録要求を受信した際に、その記録要求に応じて特定された放送内容を受信記録すると共に、この記録内容を当該端末装置からの識別情報に対応付けて記憶管理する記憶管理機能と、
前記端末装置側の識別情報が供給された場合に、この識別情報に対応する記録内容を再生対象として読み出して出力させる出力制御機能と、
前記記録内容の出力を指示する指示手段によって記録内容の出力が指示された際に、前記端末装置の接続有無を判別する機能と、
を実施させ、
前記判別によって前記端末装置が接続されていることが判別された際に、前記出力制御機能では、その接続された端末装置から前記識別情報を取得し、前記識別情報に対応する記録内容を読み出して当該端末装置に出力すること、
を実施させるためのプログラム。
【請求項７】
コンピュータに対して、
外部の端末装置から発信出力された放送内容の記録要求を受信した際に、その記録要求に応じて特定された放送内容を受信記録すると共に、この記録内容を当該端末装置からの識別情報に対応付けて記憶管理する記憶管理機能と、
前記端末装置側の識別情報が供給された場合に、この識別情報に対応する記録内容を再生対象として読み出して出力させる出力制御機能と、
を実施させ、
前記出力制御機能では、前記端末装置に着脱自在な可搬型記録媒体を介して前記端末装置の識別情報が供給された際に、当該識別情報に対応する記録内容を当該記録媒体に出力すること、
を実施させるためのプログラム。
【発明の詳細な説明】
【技術分野】
【０００１】
この発明は、放送電波を受信する放送受信機能によって受信した放送内容を記録する放送記録装置及びプログラムに関する。
【背景技術】
【０００２】
従来、遠隔操作によってテレビ放送番組を録画可能な技術としては、例えば、自宅に設置されているクレードル（充電台）に対して携帯電話装置を利用して外出先からテレビ放送番組の録画予約を可能として技術が知られている（特許文献１参照）。この場合、クレードルは、携帯電話装置が装着されると、その録画内容を携帯電話装置に自動転送してその携帯画面に表示出力させるようにしている。
【特許文献１】特開２００６−４１９０５号公報
【発明の開示】
【発明が解決しようとする課題】
【０００３】
しかしながら、上述した先行技術にあっては、録画予約を行った携帯電話装置がクレードルに装着されているか否かに拘らず、現在装着されている携帯電話装置に録画内容を転送するようにしているため、１台のクレードルを複数の携帯電話で共用しているような場合には、録画予約をしていない携帯電話に対しても録画内容を転送してしまうことになる。また、クレードルを個人が専用使用している場合において、複数の番組が録画されていれば、再生済みであるか否かに拘らず、その全ての録画内容が転送されるため、無駄な転送を行ってしまう。つまり、本来、録画予約したユーザ以外のユーザに録画内容が転送されてしまうという問題があった。
このことは、録画機能付きのクレードルに限らず、ハードディスク／ＤＶＤなどのレコーダあるいはレコーダ機能付きテレビ受信機においても同様であった。
【０００４】
この発明の課題は、外部の端末装置から発信出力された放送内容の記録要求に応じて記録した記録内容を出力する際に、その要求元であることを確認して出力できるようにすることである。
【課題を解決するための手段】
【０００５】
請求項１記載の発明は、放送電波を受信する放送受信機能によって受信した放送内容を記録する放送記録装置であって、外部の端末装置から発信出力された放送内容の記録要求を受信した際に、その記録要求に応じて特定された放送内容を受信記録すると共に、この記録内容を当該端末装置からの識別情報に対応付けて記憶管理する記憶管理手段と、前記端末装置側の識別情報が供給された場合に、この識別情報に対応する記録内容を再生対象として読み出して出力させる出力制御手段と、前記記録内容の出力を指示する指示手段と、前記指示手段によって記録内容の出力が指示された際に、前記端末装置の接続有無を判別する判別手段と、を設け、前記判別手段によって前記端末装置が接続されていることが判別された際に、前記出力制御手段は、接続された前記端末装置から前記識別情報を取得し、前記識別情報に対応する記録内容を読み出して当該端末装置に出力する、ことを特徴とする。
更に、コンピュータに対して、上述した請求項１記載の発明に示した主要機能を実現させるためのプログラムを提供する（請求項６記載の発明）。
【０００６】
なお、上述した請求項１記載の発明は次のようなものであってもよい。
前記端末装置が接続されることによって当該端末装置から識別情報が供給されて記録内容の出力が要求された際に、前記出力制御手段は、当該識別情報に対応する記録内容を読み出して当該端末装置側に出力する（請求項２記載の発明）。
【０００８】
接続された前記端末装置に充電を行う充電手段をさらに有し、前記判別手段は、前記端末装置の前記充電手段への接続有無を判別する（請求項３記載の発明）。
【０００９】
放送電波を受信する放送受信機能によって受信した放送内容を記録する放送記録装置であって、外部の端末装置から発信出力された放送内容の記録要求を受信した際に、その記録要求に応じて特定された放送内容を受信記録すると共に、この記録内容を当該端末装置からの識別情報に対応付けて記憶管理する記憶管理手段と、前記端末装置側の識別情報が供給された場合に、この識別情報に対応する記録内容を再生対象として読み出して出力させる出力制御手段と、を具備し、前記出力制御手段は、前記端末装置に着脱自在な可搬型記録媒体を介して前記端末装置の識別情報が供給された際に、当該識別情報に対応する記録内容を当該記録媒体に出力する（請求項４記載の発明）。
更に、コンピュータに対して、上述した請求項４記載の発明に示した主要機能を実現させるためのプログラムを提供する（請求項７記載の発明）。
【００１０】
前記記録内容の出力を指示する指示手段と、前記指示手段によって記録内容の出力が指示された際に、前記端末装置に着脱自在な可搬型記録媒体の接続有無を判別する判別手段と、を設け、前記判別手段によって前記可搬型記録媒体が接続されていることが判別された際に、前記出力制御手段は、前記識別情報に対応する記録内容を当該可搬型記録媒体に出力する（請求項５記載の発明）。
【発明の効果】
【００１２】
この発明は、外部の端末装置から発信出力された放送内容の記録要求に応じて記録した記録内容を当該端末装置からの識別情報に対応付けて記憶管理しておき、この端末装置側の識別情報が外部供給された場合に、この識別情報に対応する記録内容を再生対象として出力することで、記録要求を行った要求元であることを確認したうえで記録内容を出力させることができ、確実性を高めることが可能となる。
【発明を実施するための最良の形態】
【００１３】
以下、図１〜図１１を参照して本発明の実施例を説明する。
図１は、テレビ放送電波を受信して録画する放送記録装置の概略構成を示した外観図である。
この放送記録装置は、テレビ受信レコーダ１にクレードル（充電台）２をケーブル接続した構成となっている。このテレビ受信レコーダ１は、例えば、自宅に設置されているハードディスク／ＤＶＤレコーダであり、高画質、高音質のデジタル放送（ハイビジョン放送）を受信可能なテレビ放送受信チューナを備え、任意に選択された放送番組を受信して録画保存するもので、録画保存した番組内容をクレードル２に装着（載置）されている携帯電話装置３に転送して再生出力させたり、ケーブル接続されているＴＶ（テレビ）視聴装置４に転送して再生出力させる。
【００１４】
クレードル２は、ＡＣ電源に接続されている状態において携帯電話装置３が装着（載置）された際に、携帯電話装置３の二次電池（図示せず）に対して充電電流を供給する充電機能、ＣＰＵ、記憶部などのほか、携帯電話装置３から発信出力された録画開始指示情報（指示メール）を移動体通信網、インターネットを介して受信可能なメール受信機能を有し、受信した指示情報に含まれている指示内容を認識し、その指示内容に応じた処理を実行するようにしたインテリジェント・クレードルである。
【００１５】
図２は、クレードル２の概略構成を示した外観図である。
クレードル２の上面部には、携帯電話装置３が接続される接続端子（充電端子）２Ａが設けられ、その正面部には携帯電話装置３に着脱自在な可搬型記録メディア３Ａが装着（抜き差し）される記録メディアスロット２Ｂと、ユーザがテレビ受信レコーダ１に対して録画内容の転送を要求する際に操作される転送ボタン２Ｃが設けられている。この記録メディア３Ａは、例えば、ＳＤカード、メモリステイクなどであり、携帯電話装置３に代わってクレードル２に装着されるもので、図示のように、自己の「端末ＩＤ」のほか、携帯電話装置３から発信出力した録画開始の「指示情報」が記憶されている。
【００１６】
図３は、放送記録装置（クレードル２付きテレビ受信レコーダ１）の基本的な構成要素を示したブロック図である。
ＣＰＵ１１は、内部記憶部１２内の各種プログラムに応じてこのテレビ受信レコーダ１の全体動作を制御する中央演算処理装置である。内部記憶部１２は、プログラム領域及びデータ領域を有する内蔵ハードディスク(ＨＤＤ)、大容量フラッシュメモリなどである。この内部記憶部１２内のプログラム領域には、後述する図１０及び図１１に示す動作手順に応じて本実施例を実現するためのプログラムが格納され、また、そのデータ領域には、放送録画データ（録画ファイル）を保管する録画フォルダＲＦなどが設けられている。内部記憶部１２内のプログラム、データは、必要に応じてＲＡＭ１３にロードされたり、このＲＡＭ１３内のデータが内部記憶部１２にセーブされる。
【００１７】
テレビ放送受信チューナ１４は、高画質、高音質のデジタル放送（ハイビジョン放送）を受信可能なもので、ＴＶアンテナに接続されている受信部と、受信したテレビ放送を映像信号、音声信号に分離する増幅分離部と、圧縮データを解凍するデコード部などを有する構成となっている。ＣＰＵ１１には、ＤＶＤ(Digital Video Disc)がそのドライブ１５を介して接続可能となっているほか、記録メディアスロット２Ｂを介して記録メディア３Ａが接続可能となっている。この記録メディア３Ａが差し込まれている状態において、ＣＰＵ１１は、録画ファイルを読み出して記録メディア３Ａに書き込むようにしている。なお、ドライブ１５に装着されるＤＶＤは、内部記憶部１２内の録画ファイルをダビング複写したり、映像データを外部供給して再生出力させる場合に使用される。赤外線通信部１６は、遠隔操作部（リモートコントローラ）からの操作信号を受信する受信部である。また、ＣＰＵ１１には、クレードル２及びＴＶ視聴装置４が対応するコネクタ１７、１８を介して接続されている。
【００１８】
図４は、クレードル２の記憶部内に格納されている録画番組管理テーブルＲＥＴの内容を示した図である。
録画番組管理テーブルＲＥＴは、録画の指示元である携帯電話装置３を特定する「端末ＩＤ」とテレビ受信レコーダ１側における録画ファイルの格納先を示す「番組ＩＤ」との対応関係を記憶管理するもので、「端末ＩＤ」に対応して複数の「番組ＩＤ」を記憶可能な構成となっている。この場合、携帯電話装置３から録画指示情報が発信出力される毎に、クレードル２は、指示情報を受信してテレビ受信レコーダ１に録画指示を行う。
テレビ受信レコーダ１は、この録画指示に応答して録画ファイルを新規生成したのち、該当チャンネルで放送されている番組をその終了時刻まで当該ファイルに録画する動作を開始する。その際、クレードル２側では、この録画ファイルを示す「番組ＩＤ」をテレビ受信レコーダ２１から取得し、該当する「端末ＩＤ」に対応付けて録画番組管理テーブルＲＥＴに追加登録するようにしている。
【００１９】
図５は、携帯端末装置として適用した携帯電話装置３の基本的な構成要素を示したブロック図である。
携帯電話装置３は、装置本体を構成する２つの筐体の配置状態に応じて装置本体の形態を４つのスタイルに変更可能な折畳・回転型（２軸回転型）の携帯電話装置であり、通話機能、電子メール機能、インターネット接続機能（Ｗｅｂアクセス機能）のほか、テレビ放送電波を受信するテレビ放送受信機能などを備えられている。ＣＰＵ３１は、記憶部３２内の各種のプログラムに応じてこの携帯電話装置の全体動作を制御する中核的な中央演算処理装置である。記憶部３２は、不揮発性メモリ(内部メモリ)であり、例えば、フラッシュメモリなどによって構成され、プログラム領域とデータ領域とを有し、このプログラム領域には、後述する図６〜図９に示す動作手順に応じて本実施例を実現するためのプログラムが格納されている。
【００２０】
記録メディア３３は、上述したようにテレビ受信レコーダ１の記録メディアスロット２Ｂに装着される記録メディア３Ａとして使用可能なもので、ＣＰＵ３１は、テレビ受信レコーダ１によって記録メディア３Ａに書き込まれた録画ファイルを読み出して再生出力させる。メモリ３４は、ワーク領域を有する内部メモリで、例えば、ＤＲＡＭ、ＳＤＲＡＭ（Synchronous DRAM）などによって構成され、必要に応じてメモリ３４内の各種のデータは、記憶部３２にセーブされる。電話通信部３５は、無線部を構成するアンテナに接続された送受信部（ベースバンド部）の受信側から信号を取り込んで受信ベースバンド信号に復調したのちに、音声制御部３６を介して音声スピーカ３７から音声出力させる。
【００２１】
また、電話通信部３５は、音声マイク３８から入力された音声データを音声制御部３６から取り込み、送信ベースバンド信号に符号化したのちに送受信部の送信側に与えられてアンテナから発信出力させる。電話通信部３５を介して受信取得した表示データは、表示制御部３９を介してＬＣＤ（液晶表示装置）などのメイン表示部４０に与えられて表示出力される。サブ表示部４１は現在日時、簡易なメッセージ、アイコンなどを表示する。キー操作部４２は、ダイヤル入力、文字入力、コマンド入力などを行うもので、テレビ機能用としてテレビＯＮ／ＯＦＦキー、チャンネル切り替えキー、テレビ放送の録画を指示する録画開始キー、録画中止キーなどを有している。なお、テレビ機能用の各キーは、メイン表示部４０のテレビ画面上に配置したタッチキーであってもよい。
【００２２】
テレビ放送受信チューナ４３は、携帯電話などの携帯受信機向けの地上波デジタルテレビ放送を受信するもので、テレビ映像及び音声情報以外にも電子番組表(ＥＰＧ)なども含めて受信可能なもので、このテレビ受信チューナ４３から出力されたテレビ映像信号は、メイン表示部４０から表示出力され、また、テレビ音声信号は、内蔵スピーカ（高音圧スピーカ）４４から出力される。なお、テレビ放送受信チューナ４３の小型化などを図るためにＯＦＤＭ（直交周波数分割多重）復調器を接続するようにしてもよい。ＲＴＣ（リアルタイムクロックモジュール）４５は、時計部を構成するもので、ＣＰＵ１は、ＲＴＣ１５から現在日時を取得する。
【００２３】
充電接続部４６は、クレードル２に装着（接続）された際に、クレードル２からの充電電流によって二次電池（図示せず）を充電するもので、ＣＰＵ３１は、充電接続部４６から出力される充電検出信号に基づいて装置本体がクレードル２に装着（接続）されているか否かを検出するようにしている。スタイル検出センサ４７は、２軸回転型の装置本体を構成する２つの筐体（表示部側筐体、操作部側筐体）の配置状態に応じて変化する各スタイルを検出可能なもので、例えば、磁気センサあるいはマイクロスイッチによって構成され、ＣＰＵ１は、スタイル検出センサ４７からの各検出信号に基づいて装置本体の各スタイルを判別するようにしている。
【００２４】
なお、携帯電話装置３は、２つの筐体（キー操作部側筐体、表示部側筐体）の配置状態に応じて４つのスタイルに変更可能なもので、キー操作部側筐体、表示部側筐体を重ね合わせた状態（正転クローズスタイル）、このタイルから表示部側筐体を開いた状態（正転オープンスタイルあるいはノーマルスタイル）、このスタイルから表示部側筐体を１８０°回転させた状態（反転オープンスタイル）と、このスタイルから表示部側筐体を閉じた状態（ビュースタイル）に変更可能となっている。
【００２５】
次に、この実施例における携帯電話装置３の動作概念を図６〜図９に示すフローチャート、クレードル２の動作を図１０及び図１１に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２６】
図６〜図９は、電源投入に伴って実行開始される携帯電話装置３の全体動作を示したフローチャートである。なお、以下、携帯電話装置３の動作を説明しながらクレードル２側の動作を図１０及び図１１のフローチャートを参照して説明するものとする。
先ず、携帯電話装置３においてＣＰＵ３１は、電話通信部３５を作動させて現在位置の登録応答を行うと共に、所定の待受画像を読み出して表示出力させながら電話／メールの待受状態となる（図６のステップＡ１）。この状態において、通話／メール着信有りを検出すると（ステップＡ２でＹＥＳ）、着信メロディなどを発生出力させる着信報知を行うと共に、通話あるいは受信メールの着信処理を実行する(ステップＡ３)。
【００２７】
また、この待受状態においてＣＰＵ３１は、キー操作部４２上で何らかの操作が行われると（ステップＡ４でＹＥＳ）、テレビ放送の出力を指示するテレビＯＮキーが操作されたかをチェックし（ステップＡ５）、それ以外の操作であれば（ステップＡ５でＮＯ）、操作対応の処理として、例えば、通話発信、メール作成処理などが行われるが（ステップＡ１３）、テレビＯＮキーの操作であれば（ステップＡ５でＹＥＳ）、ステップＡ６に移り、テレビ放送受信チューナ１３を作動させて電子番組表を受信取得する。なお、現在日を含む電子番組表を前もって取得済みであれば、このステップＡ６はスキップされる。ここで、チャンネル選択操作が行われると（ステップＡ７）、電子番組表を参照して選択チャンネルで現在放送中である番組の終了時刻を取得する（ステップＡ８）。
【００２８】
そして、選択チャンネルで現在放送中の番組内容を出力させる出力指示を行ってその番組の映像データをメイン表示部４０から出力させると共に、音声データを内蔵スピーカ４４から出力させる（ステップＡ９）。このようにして任意のテレビ放送番組を視聴しているテレビ視聴中において、キー操作部４２上で何らかの操作が行われると（ステップＡ１０でＹＥＳ）、チャンネル変更指示操作であるかを調べ（ステップＡ１１）、この変更指示操作であれば、チャンネル変更処理を行ったのち（ステップＡ１２）、変更後のチャンネルの放送番組を受信して出力させる（ステップＡ９）。
【００２９】
また、テレビ視聴中にチャンネル変更指示以外の操作が行われた場合には（ステップＡ１１でＮＯ）、図７のフローに移り、録画開始を指示する録画指示操作であるかを調べ（ステップＡ１５）、録画指示操作であれば、自己の「端末ＩＤ」、録画の「開始時刻」と共に、現在の「チャンネル」、「番組名」とその「終了時刻」を含む録画指示情報（指示メール）を生成し、この録画指示メールを移動体通信網、インターネットを介して自宅のクレードル２宛に送信する（ステップＡ１６）。そして、この「指示情報」と「端末ＩＤ」を記録メディア３Ａに書き込んだのち（ステップＡ１７）、図６のステップＡ１０に戻る。なお、「終了時刻」は、上述のステップＡ８で電子番組表から取得した情報であり、「開始時刻」は、ＲＴＣ４５から取得した現在時刻であり、「番組名」は、電子番組表から取得した情報である。
【００３０】
ここで、クレードル２側では図１０のフローチャートに示すように、携帯電話装置３から移動体通信網、インターネットを介して送信される指示情報（指示メール）の有無を監視しており（ステップＢ１）、指示メールがあれば、録画開始指示か録画終了指示かを判別し（ステップＢ２）、録画開始指示情報であれば、それに含まれている「チャンネル」、「終了時刻」、「端末ＩＤ」を受信取得し（ステップＢ３）、テレビ受信レコーダ２１に対して「チャンネル」、「終了時刻」を送信して録画開始を指示する（ステップＢ４）。この場合、テレビ受信レコーダ１側では、この録画指示に応答して録画ファイルを新規生成したのち、該当チャンネルで放送されている番組をその終了時刻まで当該ファイルに録画する動作を開始する。これによってクレードル２側では、この録画ファイルを示す「番組ＩＤ」をテレビ受信レコーダ１から取得し、該当する「端末ＩＤ」に対応付けて録画番組管理テーブルＲＥＴに追加登録する（ステップＢ５）。
【００３１】
携帯電話装置３側では、テレビ視聴中にその番組の録画開始を指示したのち、ユーザ操作によってこの録画の中止が指示された場合には（図７のステップＡ１８でＹＥＳ）、現在視聴中の「チャンネル」と、自己の「端末ＩＤ」を含む録画終了指示情報（指示メール）を生成し、この録画終了指示メールを移動体通信網、インターネットを介して自宅のクレードル２宛に送信する（ステップＡ１９）。そして、録画中止の対象となった該当指示情報を記録メディア３Ａから削除したのち（ステップＡ２０）、図６のステップＡ１０に戻る。なお、テレビ視聴中においてその視聴終了を指示するテレビＯＦＦキーが操作された場合には（ステップＡ２１でＹＥＳ）、上述した待受状態に戻る（図６のステップＡ１）。
【００３２】
クレードル２０側では、携帯電話装置３からの指示情報（指示メール）が録画終了指示情報であれば（図１０のステップＢ２でＮＯ）、それに含まれている「チャンネル」、「端末ＩＤ」を受信取得し（ステップＢ６）、テレビ受信レコーダ１に対して「チャンネル」を送信して録画終了を指示する（ステップＢ７）。この場合、テレビ受信レコーダ１側では、この終了指示に応答して当該チャンネルの録画動作を終了する。
【００３３】
一方、携帯電話装置３側においてテレビ視聴中に何も操作されていない場合には（図６のステップＡ１０でＮＯ）、図８のフローに移り、現在時刻及び番組開始時刻を参照することによって同じ番組内容を所定時間継続して視聴したか、つまり、同一チャンネルの番組内容を視聴し始めてから１分間経過したかを調べる（ステップＡ２２）。ここで、１分間経過した際には、それ以降も継続視聴の蓋然性が高いために、ステップＡ２３に移り、現在視聴中の番組の録画を指示済みであるかを調べ、指示済みでないことを条件に当該番組の録画要否を問い合わせる確認メッセージを表示出力させる（ステップＡ２４）。
【００３４】
この確認メッセージ画面は、「録画する」、「録画しない」のメニュー項目を有し、その何れかの項目が選択指定されると（ステップＡ２５）、ＣＰＵ３1は、この録画要否の選択内容を判別し（ステップＡ２６）、「録画しない」が選択されたときには、図６のステップＡ１０に戻るが、「録画する」が選択されたときには、図７のステップＡ１６に移り、録画指示情報を生成して自宅のクレードル２宛に送信したり、記録メディア３Ａに登録する（ステップＡ１７）。
【００３５】
また、テレビ視聴中において、通話の着信割込み有りを検出すると（図８のステップＡ２７でＹＥＳ）、着信報知を行ったのち（ステップＡ２８）、着信応答操作（オフフック操作）の有無をチェックし（ステップＡ２９）、応答操作無しの場合には、図６のステップＡ１０に戻るが、応答操作有り場合には、通信相手先との通話可能状態にセットする（ステップＡ３０）。そして、テレビ受信出力を中断したのち（ステップＡ３１）、現在視聴中の番組の録画を指示済みであるかを調べる（ステップＡ３２）。この場合、録画指示済みであれば、回線遮断（通話終了）まで待機したのち（ステップＡ３３）、中断したテレビ受信出力を再開させるために図６のステップＡ９に戻るが、録画指示を行っていなければ（ステップＡ３２でＮＯ）、録画指示情報を生成して自宅のクレードル２宛に送信すると共に（ステップＡ３４）、この指示情報を端末ＩＤと共に記録メディア３Ａに登録する（ステップＡ３５）。そして、回線遮断まで待機したのち（ステップＡ３６）、中断したテレビ受信出力を再開させるために図６のステップＡ９に戻る。
【００３６】
更に、テレビ視聴中において、現在時刻がその番組の終了時刻に一致した場合には（図８のステップＡ３７でＹＥＳ）、言い換えれば、番組の最後まで視聴した場合には、この番組の録画指示情報があるか（録画指示済みか）を調べ（ステップＡ３８）、録画指示済みであれば、番組の最後まで継続して視聴し終わったことを示すためにその指示情報を記録メディア３Ａから削除したのち（ステップＡ３９）、図６のステップＡ１０に戻る。
【００３７】
他方、待受状態においては、充電接続部３６からの充電検出信号に基づいて装置本体がクレードル２に接続されたか否かを判別しており（図６のステップＡ１４）、クレードル２に接続されたことを検出すると、図９のフローに移り、記録メディア３Ａに指示情報が登録されているかを調べる。ここで、指示情報が記録メディア３Ａに無ければ（録画開始を指示していなければ）、待受状態に戻るが（図６のステップＡ１）、録画の開始を指示済みであり、記録メディア３Ａに指示情報が登録されている場合には、スタイル検出センサ４７からの検出信号に基づいて装置本体のスタイルを判別し、「ビュースタイル」の状態でクレードル２に装着されたかを調べ（ステップＡ４１）、「ビュースタイル」以外のスタイルであれば、待受状態に戻り（図６のステップＡ１）、「ビュースタイル」であれば（ステップＡ４１でＹＥＳ）、クレードル２に対して自己の録画内容の転送を要求するために自己の「端末ＩＤ」をクレードル２に送信する（ステップＡ４２）。
【００３８】
クレードル２側では携帯電話装置３が装着されたか、つまり、その接続開始を検出したかをチェックしており（図１１のステップＢ８）、携帯電話装置３が接続された最初の時点ではステップＢ９に移り、携帯電話装置３から転送要求の有無をチェックし、転送要求を受け取った場合には、この要求内から「端末ＩＤ」を受信取得し（ステップＢ１０）、この「端末ＩＤ」に基づいて録画番組管理テーブルＲＥＴを検索し、該当する「番組ＩＤ」が１つであるかを調べる（ステップＢ１１）。この結果、「端末ＩＤ」対応の「番組ＩＤ」が１つであれば、テレビ受信レコーダ１に対して当該「番組ＩＤ」対応の録画ファイルの転送を要求する（ステップＢ１４）。
【００３９】
これに応答してテレビ受信レコーダ１から送信されてきた録画ファイルを受信すると、この録画ファイルを要求元の携帯電話装置３にダウンロード転送したのち（ステップＢ１５）、当該転送済みの「録画ＩＤ」を録画番組管理テーブルＲＥＴから削除する（ステップＢ１６）。また、受信した「端末ＩＤ」に基づいて録画番組管理テーブルＲＥＴを検索した結果、該当する「番組ＩＤ」が複数記憶されていれば（ステップＢ１１でＮＯ）、この複数の「番組ＩＤ」対応の「番組名」などを含む「番組メニュー」を生成して要求元の携帯電話装置３に送信する（ステップＢ１２）。
【００４０】
携帯電話装置３側では、クレードル２に対して転送要求を行ったのち、クレードル２から「番組メニュー」が返信されてきたかを調べ（図９のステップＡ４３）、「番組メニュー」が無ければ、記録メディア３Ａから当該「指示情報」、「端末ＩＤ」を削除したのち（ステップＢ４８）、クレードル２から転送されてきた録画ファイルをダウンロード受信して記録メディア３Ａに書き込む（ステップＡ４７）。また、クレードル２から「番組メニュー」が返信されてきた場合には（ステップＡ４３でＹＥＳ）、これを表示出力させる（ステップＡ４４）。このメニュー画面の中から任意の番組が選択指定されると（ステップＡ４５）、クレードル２に対して選択番組対応の録画ファイルの転送を要求する（ステップＡ４６）。
【００４１】
この場合、クレードル２側では、「番組メニュー」の送信に応答して選択番組の転送要求を受信すると（図１１のステップＢ１３）、テレビ受信レコーダ１に対して当該「番組ＩＤ」対応の録画ファイルの転送を要求する（ステップＢ１４）。これに応答してテレビ受信レコーダ１から送信されてきた録画ファイルを受信すると、この録画ファイルを要求元の携帯電話装置３にダウンロード転送したのち（ステップＢ１５）、この転送済みの「録画ＩＤ」を録画番組管理テーブルＲＥＴから削除する（ステップＢ１６）。
【００４２】
他方、クレードル２側では記録メディア３Ａが装着されたか、つまり、その接続開始を検出したかをチェックしており（図１１のステップＢ１７）、記録メディア３Ａが接続された最初の時点ではステップＢ１８に移り、当該記録メディア３Ａに指示情報が格納されているかをチェックし、指示情報が有れば、それに対応する「端末ＩＤ」を取得したのち（ステップＢ１９）、当該「端末ＩＤ」対応の「番組ＩＤ」を１つ指定し、この「番組ＩＤ」の録画ファイルを転送すべきことをテレビ受信レコーダ１に対して要求する（ステップＢ２０）。これによってテレビ受信レコーダ１から送信されてきた録画ファイルをダウンロード受信すると、この録画ファイルを記録メディア３Ａに書き込む（ステップＢ２１）。以下、「端末ＩＤ」対応の「番組ＩＤ」が複数記憶されていれば、各「番組ＩＤ」対応の録画ファイルを全て転送済みかを調べ（ステップＢ２２）、全ファイルの転送が完了するまでステップＢ２０に戻り、上述の動作を繰り返す。これによって全ファイルの転送が完了すると、記録メディア３Ａから転送済みの全ての「録画ＩＤ」を削除する（ステップＢ２３）。
【００４３】
また、クレードル２側では転送ボタン２Ｃの操作有無をチェックしており（図１１のステップＢ２４）、転送ボタン２Ｃの操作によって録画ファイルの転送が要求された際には、携帯電話装置３が接続されていて（ステップＢ２５）、その記録メディア３Ａ内に指示情報が格納されているかをチェックし（ステップＢ２６）、指示情報が有れば、ステップＢ１９に移り、テレビ受信レコーダ１から録画ファイルを取得して記録メディア３Ａに書き込む処理を行う（ステップＢ１９〜Ｂ２３）。また、携帯電話装置３は非接続であるが（ステップＢ２５でＮＯ）、記録メディア３Ａが接続されている場合には（ステップＢ２７でＹＥＳ）、ステップＢ１９に移り、テレビ受信レコーダ１から録画ファイルを取得して記録メディア３Ａに書き込む処理を行う（ステップＢ１９〜Ｂ２３）。なお、携帯電話装置３及び記録メディア３Ａが接続されていなければ（ステップＢ２７でＮＯ）、転送ボタン２Ｃの操作を無効とするエラー報知（例えば、ランプ点灯）を行う（ステップＢ２９）。
【００４４】
以上のように、この実施例においてクレードル２付きのテレビ受信レコーダ１は、携帯電話装置３から発信出力された放送内容の録画要求を受信した際に、その録画要求に応じて特定された番組を受信録画すると共に、この「番組ＩＤ」を当該「端末ＩＤ」に対応付けて録画番組管理テーブルＲＥＴに記憶管理しておき、携帯電話装置３側の「端末ＩＤ」が外部供給された場合に、この「端末ＩＤ」に対応する「番組ＩＤ」に基づいてその録画ファイルを再生対象として出力させるようにしたから、録画要求を行った要求元であることを確認したうえで録画内容を出力させることができ、本来のユーザに録画内容を視聴させることができ、確実性を高めることが可能となる。
【００４５】
クレードル２は、携帯電話装置３が接続されることによって当該携帯電話装置３から「端末ＩＤ」が外部供給されて録画内容の転送が要求された際に、この「端末ＩＤ」に対応する録画ファイルを携帯電話装置３側に転送して再生出力させるようにしたから、携帯電話装置３をクレードル２に接続するだけで、録画再生が可能となり、操作性を高めることが可能となる。また、クレードル２は、転送ボタン２Ｃが操作された際に、携帯電話装置３の接続有無をチェックし、携帯電話装置３が接続されていることを条件にその「端末ＩＤ」対応の録画ファイルを再生対象として当該携帯電話装置３側の記録メディア３Ａに書き込むようにしたから、充電時に録画再生を行うか否かを指示することが可能となる。
【００４６】
携帯電話装置３に着脱自在な可搬型記録メディア３Ａを介して「端末ＩＤ」が外部供給された際に、クレードル２は、この「端末ＩＤ」に対応する録画ファイルを記録メディア３Ａに書き込むようにしたから、携帯電話装置３をクレードル２に接続しなくても、記録メディア３Ａを介して録画ファイルを取得することが可能となる。
【００４７】
また、クレードル２は、転送ボタン２Ｃが操作された際に、記録メディア３Ａの接続有無をチェックし、記録メディア３Ａが接続されていることを条件にその「端末ＩＤ」対応の録画ファイルを再生対象として記録メディア３Ａに書き込むようにしたから、充電時に録画再生を行うか否かを指示することが可能となる。また、記録メディア３Ａが接続された際に、この記録メディア３Ａ内の「端末ＩＤ」に対応する録画ファイルを記録メディア３Ａに書き込むことができ、クレードル２に記録メディア３Ａを装着するだけで、録画ファイルを入手することが可能となる。
【００４８】
なお、上述した実施例において携帯電話装置３は、「端末ＩＤ」、「チャンネル」、「番組名」、「番組終了時刻」を含む録画指示情報（指示メール）を生成してクレードル２に送信するようにしたが、録画指示情報の内容はこれに限らず、任意であり、例えば、現在視聴中の「チャンネル」だけでもよい。また、現在視聴中の「番組名」あるいは録画予約の「番組名」だけでもよい。この場合、クレードル２側では受信取得した電子番組表を参照して録画指示情報内の「番組名」から録画対象を特定するようにしてもよい。
【００４９】
また、上述した実施例においてクレードル２は、携帯電話装置３あるいは記録メディア３Ａが接続された際（端末ＩＤが外部供給された際）に、この「端末ＩＤ」に対応する録画ファイルを再生対象として読み出して携帯電話装置３に転送したり、記録メディア３Ａに書き込むようにしたが、この「端末ＩＤ」対応の録画ファイルをＴＶ視聴装置４に転送して再生出力させるようにしてもよい。
【００５０】
また、クレードル２側では、複数の携帯電話装置３から同一番組の録画指示を受けた場合には、この録画途中で何れかの携帯電話装置３から録画終了指示を受けたとしても、その録画終了をテレビ受信レコーダ１には指示しないようにしてもよい。この場合、録画指示を行った全ての携帯電話装置３から録画終了指示を受けたときには、その最終指示に応答して録画終了をテレビ受信レコーダ１に指示するようにしてもよい。
【００５１】
上述した実施例においては、特に言及しなかったが、テレビ受信レコーダ１側では高画質のハイビジョン放送を受信するが、この高画質の映像データを携帯電話装置の画面に応じた携帯電話向けのデータに変換する際に、そのデータ変換をクレードル２側で行うようにしてもよい。すなわち、クレードル２は、テレビ受信レコーダ１からの送信された録画内容（高画質データ）を携帯電話向けデータに変換して携帯電話装置３に転送するようにしてもよい。また、通話の着信割込みに応答して現在の放送番組の受信出力を中断してその番組の録画を開始させた場合、この中断期間中の録画内容だけを再生出力するようにしてもよい。
【００５２】
また、上述した実施例においては、図１０及び図１１に示したクレードル２側の動作をテレビ受信レコーダ１側で行うようにしてよい。つまり、上述した実施例は、クレードル２付きのテレビ受信レコーダ１を示したが、図１０及び図１１に示したクレードル２側の機能をテレビ受信レコーダ１側に組み込むようにしてもよい。
【００５３】
また、上述した実施例においては、テレビ機能付きの携帯電話装置を例示したが、ラジオ放送の番組内容を受信して出力するラジオ機能付きの携帯電話装置であってもよい。
その他、携帯電話装置に限らず、例えば、放送電波を受信する放送受信機能付きＰＤＡ・電子カメラ・電子腕時計・音楽再生機などの携帯端末装置であっても同様に適用可能である。
【図面の簡単な説明】
【００５４】
【図１】テレビ放送電波を受信して録画する放送記録装置（クレードル２付きテレビ受信レコーダ１）の概略構成を示した外観図。
【図２】クレードル２の概略構成を示した外観図。
【図３】放送記録装置（クレードル２付きテレビ受信レコーダ１）の基本的な構成要素を示したブロック図。
【図４】クレードル２の記憶部内に格納されている録画番組管理テーブルＲＥＴの内容を示した図。
【図５】携帯端末装置として適用した携帯電話装置３の基本的な構成要素を示したブロック図。
【図６】電源投入に伴って実行開始される携帯電話装置３の全体動作を示したフローチャート。
【図７】図６に続く、フローチャート。
【図８】図６に続く、フローチャート。
【図９】図６に続く、フローチャート。
【図１０】クレードル２の動作を示したフローチャート。
【図１１】図１０に続く、フローチャート。
【符号の説明】
【００５５】
１  テレビ受信レコーダ
２  クレードル
２Ｂ  記録メディアスロット
２Ｃ  転送ボタン
３  携帯電話装置
４  ＴＶ視聴装置
１１、３１  ＣＰＵ
１２  内部記憶部
１４、４３  テレビ放送受信チューナ
３２  記憶部
３５  電話通信部
４０  メイン表示部
４２  キー操作部
【図１】
0004728880.tif 000002
【図２】
0004728880.tif 000003
【図３】
0004728880.tif 000004
【図４】
0004728880.tif 000005
【図５】
0004728880.tif 000006
【図６】
0004728880.tif 000007
【図７】
0004728880.tif 000008
【図８】
0004728880.tif 000009
【図９】
0004728880.tif 000010
【図１０】
0004728880.tif 000011
【図１１】
0004728880.tif 000012